【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
被検者に対して放射線を用いた撮影を行う放射線撮影システムであって、
複数の撮影方法を予め格納する撮影方法格納手段と、
検査の対象となる被検者の被検者情報の入力を行う被検者情報入力手段と、
前記被検者情報および検査情報に付帯する情報を用いて、前記撮影方法格納手段から適合する撮影方法を抽出する抽出手段と、
前記抽出手段により抽出された撮影方法を一覧表示する一覧表示手段と、
前記一覧表示手段に一覧表示された撮影方法を指定することにより、当該指定された撮影方法を登録する登録手段と
を有することを特徴とする放射線撮影システム。
【請求項２】
前記登録手段で登録された撮影方法を表示する撮影方法表示手段と、
前記被検者情報と前記登録手段で登録された撮影方法により前記検査を生成する検査生成手段と、
前記検査に基づいて、前記被検者に放射線を用いた撮影を行う制御をする撮影制御手段と、
前記撮影により得られた放射線画像を表示する画像表示手段と、
前記放射線画像に係る撮影画像を前記被検者情報と関連付けて格納する撮影画像格納手段と
を更に有することを特徴とする請求項１に記載の放射線撮影システム。
【請求項３】
前記抽出手段は、前記被検者情報に付帯する被検者を特定する情報を用いて、前記撮影画像格納手段に格納された撮影画像の中から前記被検者と同一被検者の撮影画像を検索し、当該撮影画像の撮影方法を抽出することを特徴とする請求項２に記載の放射線撮影システム。
【請求項４】
前記撮影制御手段は、当該撮影画像の撮影に使用された放射線検出器を用いて前記撮影の制御を行うことを特徴とする請求項３に記載の放射線撮影システム。
【請求項５】
前記撮影制御手段は、当該撮影画像の撮影に用いられた撮影条件を用いて前記撮影の制御を行うことを特徴とする請求項３に記載の放射線撮影システム。
【請求項６】
前記画像表示手段は、当該撮影画像に用いられた画像処理条件を用いて画像処理を施した放射線画像を表示することを特徴とする請求項３に記載の放射線撮影システム。
【請求項７】
前記撮影方法には、前記撮影に使用する放射線検出器に係る情報が定められており、
前記撮影制御手段は、前記撮影方法における前記放射線検出器を用いて前記撮影の制御を行うことを特徴とする請求項２に記載の放射線撮影システム。
【請求項８】
前記撮影方法には、当該撮影方法で用いる撮影条件に係る情報が定められており、
前記撮影制御手段は、当該撮影方法における前記撮影条件を用いて前記撮影の制御を行うことを特徴とする請求項２に記載の放射線撮影システム。
【請求項９】
前記撮影方法には、画像処理条件に係る情報が定められており、
前記画像表示手段は、当該撮影方法における前記画像処理条件を用いて画像処理を施した放射線画像を表示することを特徴とする請求項２に記載の放射線撮影システム。
【請求項１０】
前記抽出手段は、前記被検者情報に付帯する被検者の体格に関する情報を用いて、前記撮影方法格納手段から当該体格に適合した撮影方法を抽出することを特徴とする請求項１に記載の放射線撮影システム。
【請求項１１】
前記抽出手段は、前記検査情報に付帯する検査時刻情報を用いて、前記撮影方法格納手段から前記検査時刻情報に係る時刻帯において撮影頻度の高い撮影方法を抽出することを特徴とする請求項１に記載の放射線撮影システム。
【請求項１２】
前記抽出手段は、前記検査情報に付帯する検査日情報を用いて、前記撮影方法格納手段から前記検査日情報に係る日付帯において撮影頻度の高い撮影方法を抽出することを特徴とする請求項１に記載の放射線撮影システム。
【請求項１３】
前記抽出手段は、前記検査情報に付帯する依頼科情報を用いて、前記撮影方法格納手段から前記依頼科情報に係る依頼科に対して登録された撮影方法を抽出することを特徴とする請求項１に記載の放射線撮影システム。
【請求項１４】
前記検査生成手段は、前記被検者情報と当該被検者情報に係る被検者に対して実施する撮影の内容を定めた撮影情報とを含む検査情報を取得し、当該取得した検査情報によって前記検査を生成し、
前記一覧表示手段は、前記検査生成手段により生成された検査に含まれる撮影方法を、前記一覧表示の対象から除外することを特徴とする請求項２に記載の放射線撮影システム。
【請求項１５】
前記一覧表示手段は、前記登録手段により既に登録されている撮影方法を、前記一覧表示の対象から除外することを特徴とする請求項１に記載の放射線撮影システム。
【請求項１６】
被検者に対して放射線を用いた撮影を行う放射線撮影システムの制御方法であって、
複数の撮影方法を予め撮影方法格納手段に格納する撮影方法格納ステップと、
検査の対象となる被検者の被検者情報の入力を行う被検者情報入力ステップと、
前記被検者情報および検査情報に付帯する情報を用いて、前記撮影方法格納手段から適合する撮影方法を抽出する抽出ステップと、
前記抽出ステップにより抽出された撮影方法を一覧表示手段に一覧表示する一覧表示ステップと、
前記一覧表示手段に一覧表示された撮影方法を指定することにより、当該指定された撮影方法を登録する登録ステップと
を有することを特徴とする放射線撮影システムの制御方法。
【請求項１７】
被検者に対して放射線を用いた撮影を行う放射線撮影システムの制御方法をコンピュータに実行させるためのプログラムであって、
複数の撮影方法を予め撮影方法格納手段に格納する撮影方法格納ステップと、
検査の対象となる被検者の被検者情報の入力を行う被検者情報入力ステップと、
前記被検者情報および検査情報に付帯する情報を用いて、前記撮影方法格納手段から適合する撮影方法を抽出する抽出ステップと、
前記抽出ステップにより抽出された撮影方法を一覧表示手段に一覧表示する一覧表示ステップと、
前記一覧表示手段に一覧表示された撮影方法を指定することにより、当該指定された撮影方法を登録する登録ステップと
をコンピュータに実行させるためのプログラム。
【手続補正２】
【補正対象書類名】明細書
【補正対象項目名】０００１
【補正方法】変更
【補正の内容】
【０００１】
本発明は、被検者に対して放射線を用いた撮影を行う放射線撮影システム及びその制御方法、並びに、当該制御方法をコンピュータに実行させるためのプログラムに関する。
【手続補正３】
【補正対象書類名】明細書
【補正対象項目名】００１２
【補正方法】変更
【補正の内容】
【００１２】
本発明の放射線撮影システムは、被検者に対して放射線を用いた撮影を行う放射線撮影システムであって、複数の撮影方法を予め格納する撮影方法格納手段と、検査の対象となる被検者の被検者情報の入力を行う被検者情報入力手段と、前記被検者情報および検査情報に付帯する情報を用いて、前記撮影方法格納手段から適合する撮影方法を抽出する抽出手段と、前記抽出手段により抽出された撮影方法を一覧表示する一覧表示手段と、前記一覧表示手段に一覧表示された撮影方法を指定することにより、当該指定された撮影方法を登録する登録手段とを有する。
また、本発明は、上述した放射線撮影システムの制御方法、及び、当該制御方法をコンピュータに実行させるためのプログラムを含む。
【手続補正４】
【補正対象書類名】明細書
【補正対象項目名】００１３
【補正方法】変更
【補正の内容】
【００１３】
本発明者らは、実施する検査の被検者情報及び検査情報の情報を用いて撮影方法を抽出することで、撮影方法の登録を簡易化できると考えた。経過観察を行う検査では、被検者情報を用いて同一被検者の放射線画像を検索し、その撮影方法を抽出することで、所望の撮影方法の登録が容易になる。また、同一条件での時間帯による異なる運用がされる施設では、検査時刻情報を用いて同時間帯で撮影頻度の高い撮影方法を抽出することで、所望の撮影方法の登録が容易になる。